(57)【特許請求の範囲】
【請求項１】
上框、下框および左右の竪框を四周框組みして面材を組み込んで形成された障子であって、
前記各框は、面材を保持する室外部材および室内部材を備えて構成され、
室内部材は、機能が異なりかつ室外部材との取付構造が共通する複数種類の室内部材から選択されて室外部材に組み合わされ、
前記室内部材は、（ａ）木製の室内部材、（ｂ）合成木製の室内部材、（ｃ）樹脂製の室内部材、（ｄ）金属製の室内部材、（ｅ）樹脂および金属の複合材製の室内部材、のいずれか２種類以上からなる材質の異なる室内部材から選択されている障子。
【請求項２】
前記室内部材は、断熱性能および意匠の少なくとも一方が異なることで機能が異なるように構成されている請求項１に記載の障子。
【請求項３】
前記各室内部材は、室外部材との取付部の形状および寸法が互いに同一とされている請求項１または請求項２に記載の障子。
【請求項４】
前記室内部材は、見込み寸法が異なるものが複数種類用意されている請求項３に記載の障子。
【請求項５】
上枠、下枠および左右の縦枠を四周枠組みした建具枠と、上框、下框および左右の竪框を四周框組みして面材を組み込んだ障子とを備えて構成される建具であって、
前記建具枠に組み込まれる障子は、請求項１〜４のいずれかに記載の障子から選択されて組み込まれている建具。
【請求項６】
前記建具枠の室内側に露出する部分および室外側に露出する部分は、障子の室内部材および室外部材とそれぞれ同じ材質とされている請求項５に記載の建具。
【請求項７】
前記建具枠の各枠は、枠本体と枠本体の室内側に取り付けられたカバー材とを備えて構成され、
前記カバー材は、見込み寸法の異なる複数種類のカバー材から選択されて枠本体に組み合わされている請求項５または請求項６に記載の建具。
【請求項８】
請求項５〜７のいずれかに記載の建具が、その取付位置における環境の違いに応じて選択されて取り付けられている建物。
【発明の詳細な説明】
【０００１】
【発明の属する技術分野】
本発明は、障子、建具および建物に関する。
【０００２】
【背景技術】
近年、需用者の要望に応じて断熱性能や意匠が異なる複数種類のサッシ窓を生産するようになっている。
例えば、サッシ窓の障子としては、従来、アルミ形材のみで構成された框を用いた金属製の障子（一般障子）や、樹脂のみで構成された框を用いた樹脂製の障子（断熱障子）が用いられていた。
【０００３】
さらに、近年では、サッシの外観および内観を、建物の外壁や内壁に調和させるためや、耐水性、メンテナンス性、断熱性能等を考慮し、アルミ形材からなる室外部材と、断熱性部材からなる室内部材とを組み合わせた框を用いた障子も利用されるようになった。
【０００４】
このような室内部材に用いられる断熱性部材としては、合成樹脂、木、さらには、近年、開発された合成木などが知られている。これらの各種材料は、機能が異なるため、各材料に最適な形で設計していた。
【０００５】
すなわち、木は、厚さが薄くなると割れたりして十分な強度が確保できないため、ある程度の厚みを持つように設計する必要がある。一方で、合成樹脂や合成木は、薄型成形が可能であり、薄型でも断熱性能が確保できるため、材料使用量つまりコスト面を考慮し、最小限の厚さで設計していた。なお、合成木は、木粉が混入されるため、合成樹脂に比べると多少厚くする必要がある。
【０００６】
従って、障子の框として、アルミ製の室外部材に対し、合成樹脂製の室内部材、合成木製の室内部材、木製の室内部材の各室内部材を組み合わせた場合に、室外部材の断面形状などは室内部材の材質毎にまったく異なるものであった。
【０００７】
【発明が解決しようとする課題】
しかしながら、各室外部材の断面形状が、室内部材の材質によって異なると、室外部材の種類が多くなって製造コストや管理コストが高くなるという問題があった。特に、アルミ形材等を押出成形するための金型は、製作コストが非常に高いため、断面形状の異なる室外部材や室内部材の種類を増やすと製造コストが非常に高くなるという問題があった。
【０００８】
特に、近年では、建物の外観や内観にあったサッシ窓等の建具を設置したいというユーザーの要望が強まり、障子においても、室内面や室外面に露出する部分（室内部材や室外部材）の材質をアルミ等の金属、合成樹脂、合成木、木等から自由に選択したいという要望がある。しかしながら、前述の通り、材質によって室外部材や室内部材の断面形状、構造を異ならせた場合には、コストがかさみ、建具が高価になってしまうため、実際にはユーザーの選択枝が少なく、希望する機能（断熱性能や意匠）、値段の建具を選択できないという問題があった。
【０００９】
本発明の目的は、室内部材や室外部材の意匠、材質などの機能をユーザーの要望するものにでき、かつコストを低減できて安価に提供できる障子、建具および建物を提供することにある。
【００１０】
【課題を解決するための手段】
本発明は、従来の障子では、各種の材質に応じて最適な構造に設計していたために、材質によって断面構造が異なっていた点に着目し、各種材質において成形、製造が可能な範囲で取付構造（取付部の形状等）を共通化し、つまり機能の異なる室内部材同士で室外部材との取付構造を共通化したり、機能の異なる室外部材同士で室内部材との取付構造を共通化することで、それらが取り付けられる室外部材や室内部材の種類を少なくしてユーザーが希望する建具を安価に提供できるようにしたものである。
【００１１】
具体的には、本発明の障子は、上框、下框および左右の竪框を四周框組みして面材を組み込んで形成された障子であって、前記各框は、面材を保持する室外部材および室内部材を備えて構成され、室内部材は、機能が異なりかつ室外部材との取付構造が共通する複数種類の室内部材から選択されて室外部材に組み合わされ、かつ、前記室内部材は、（ａ）木製の室内部材、（ｂ）合成木製の室内部材、（ｃ）樹脂製の室内部材、（ｄ）金属製の室内部材、（ｅ）樹脂および金属の複合材製の室内部材、のいずれか２種類以上からなる材質の異なる室内部材から選択されていることを特徴とする。
【００１２】
なお、本発明において、機能とは、断熱性能、耐水性能等の障子に求められる各種性能と、色や光沢、触感（表面粗さ）等の意匠とを含むものである。従って、機能が異なるとは、各種性能や意匠などの各項目の内の少なくとも１つが異なることを意味する。
また、本発明において、障子とは、建具において開閉される可動障子に限らず、扉（戸）等の可動するもの、さらには嵌め殺し窓において、枠に固定（嵌め込まれた）ものも含む。
【００１３】
本発明においては、障子の各框を室外部材および室内部材で構成し、この室内部材を、機能が異なりかつ室外部材との取付構造が共通する複数種類用意しているので、意匠（色調、触感つまり表面粗さ等）や断熱性能、耐水性能等のユーザーが希望する機能に応じた室内部材を選択することができる。さらに、各種の室内部材において、室外部材との取付構造が共通化されているので、室内部材の種類が異なっていても、室外部材は材質が異なるものを用意しない限り１種類でよく、製造コストを低減できる。
【００１４】
これらにより、障子の室内部材の意匠、材質などの機能をユーザーが要望するものにでき、かつ従来のように、室内部材の材質毎に異なる構造の室外部材を用意する必要がないため、コストを低減できて安価に提供することができる。
【００１５】
なお、本発明において合成木とは、熱可塑性樹脂等の合成樹脂と、木粉とを混合溶融して成形され、この木粉の混合割合が３０重量％以上のものを意味する。一方、木粉が３０重量％以下の場合には、樹脂の性質が強くなるため、木粉入り樹脂つまり（ｃ）樹脂製の室内部材や室外部材となる。なお、木粉とは、木材を粉砕して得られるものに限らず、椰子殻、コーヒーかす、古紙、廃材などのセルロース系材料を粉砕等で粉状にしたものを含むものである。
【００１６】
本発明によれば、室内部材を選択することで、断熱性能や意匠（色調等）を選択することができるため、ユーザーの希望に対応することができるという効果もある。また、（ａ）木製の室内部材および（ｂ）合成木製の室内部材を選択すれば、障子の室内意匠（内装仕上げ）を木目調にすることができ、和室や洋室を問わず、上質なものにできる。さらに、（ｃ）樹脂製の室内部材、（ｄ）金属製の室内部材、（ｅ）樹脂金属複合材製の室内部材を選択すれば、障子の断熱性能を向上させたり、耐水性能や耐候性を向上させるなど、性能や内観意匠を様々に設定できる。
【００２３】
ここで、前記室内部材は、断熱性能および意匠の少なくとも一方が異なることで機能が異なるように構成されていることが好ましい。
【００２８】
ここで、室内部材が複数設けられる場合には、各室内部材は、室外部材との取付部の形状および寸法が互いに同一とされていることで取付構造が共通化されていることが好ましい。
【００２９】
このように室内部材の取付部の形状、寸法が同一であれば、例えば押出成形によって製造が可能な、合成木、樹脂、金属（アルミ）等の金型や製造設備を一部共用することなどもでき、製造効率を向上することができる。
【００３０】
さらに、前記室内部材は、見込み寸法が異なるものが複数種類用意されていることが好ましい。
【００３１】
このような見込み寸法が異なるものが用意されていれば、例えば、見込み寸法を厚くすることで断熱性能を向上させたりすることができる。さらに、建物に組み込まれている建具枠（窓枠）には、例えば７０mm見込みと１００mm見込みとの見込み寸法が異なる２種類の建具枠が通常利用されている。このような見込み寸法の異なる建具枠に組み込まれる障子も、見込み寸法を異ならせる必要がある場合に、室内部材を見込み寸法の異なるものに交換することで対応できる。
【００３２】
本発明の建具は、上枠、下枠および左右の縦枠を四周枠組みした建具枠と、上框、下框および左右の竪框を四周框組みして面材を組み込んだ障子とを備えて構成される建具であって、前記建具枠に組み込まれる障子は、前述の各障子から選択されて組み込まれていることを特徴とするものである。
【００３３】
このような建具では、障子の框として、様々な室内外部材を自由に選択して組み合わせることができ、断熱性能、意匠、コストなどに応じて各種障子を自由に選択でき、ユーザーの様々な要望にも十分に対応できる。
【００３４】
ここで、前記建具枠の室内側に露出する部分および室外側に露出する部分は、障子の室内部材および室外部材とそれぞれ同じ材質とされていることが好ましい。例えば、障子の室内部材が合成木製室内部材ならば、窓枠の室内露出部も合成木製とされ、室外部材が樹脂製室外部材ならば、窓枠の室外露出部も樹脂製とされていればよい。
この際、窓枠も、障子と同様に、室内部材および室外部材で構成されている場合には、各室内部材、室外部材の材質を障子と揃えればよい。また、窓枠が枠本体とカバー材とで構成されている場合には、枠本体やカバー材の材質を障子に合わせればよい。
【００３５】
このような構成にすれば、窓枠および障子の外観および内観を同一にでき、意匠性に優れた建具を構成することができる。
【００３６】
ここで、前記建具枠の各枠は、枠本体と枠本体の室内側に取り付けられたカバー材とを備えて構成され、前記カバー材は、見込み寸法の異なる複数種類のカバー材から選択されて枠本体に組み合わされていることが好ましい。
このようなカバー材は、枠本体と異なり、障子を支持するものではなく、強度面の制限が無いため、その材質は、木、合成木、樹脂等に自由に設定できる。このため、枠本体をアルミ等の金属製とした場合でも、カバー材は、木、合成木、樹脂などに設定でき、障子の室内部材に合わせて選択することもでき、建具として統一した内観にするなど意匠性を簡単に向上することができる。
さらに、見込み寸法が異なるカバー材を用意しているので、建具枠が取り付けられる建物の壁などにおける納まりに応じてカバー材を適宜選択することができ、仕上げ処理が簡単になり、良好な納まりにすることができる。
【００３７】
また、本発明の建物は、前記建具が、その取付位置における環境の違いに応じて選択されて取り付けられていることを特徴とするものである。
このような本発明では、断熱性能や意匠などのユーザーの要望に応じて、室外部材および室内部材を自由に組み合わせることができるため、建物の立地地域、環境、建物における窓の設置位置、ユーザーの好み等に合わせた最適な建具が組み込まれた建物に設定できる。
【００３８】
【発明の実施の形態】
以下に、本発明の第１実施形態を図面に基づいて説明する。なお、各図面においては図面を見やすくするために、窓枠や障子等の主要な構成部材には断面を示すハッチングを省略して記載している。
【００３９】
本実施形態は、建具である嵌め殺し窓（ＦＩＸ窓）に本発明を適用したものであり、図１に示すように、窓枠１として、（ア）上枠および縦枠がアルミ材等の金属材で構成され、下枠がアルミ材等の非鉄金属製の室内部材および室外部材と、これらの室内外部材を連結する断熱部材とからなる断熱形材で構成されたアルミ形材断熱窓枠であって７０mm見込み寸法の窓枠２と、（イ）上枠および縦枠がアルミ材等の金属材で構成され、下枠が断熱形材で構成されたアルミ形材断熱窓枠であって１００mm見込み寸法の窓枠３との２種類の窓枠が用意されている。
【００４０】
なお、これらの各アルミ形材断熱窓枠２，３においては、各枠は、具体的には後述するが、アルミ形材や断熱形材で構成される枠本体と、この枠本体の室内側露出面を被覆する断熱性カバーとで構成されている。
【００４１】
また、障子５としては、各框が室外部材１０および室内部材１５で構成されたものが用意されている。ここで、室外部材１０や室内部材１５としては、それぞれ木製、合成木製、樹脂製、アルミ形材製の材質が異なる５種類のものを用意できる。但し、本実施形態では、図２，３にも示すように、室外部材１０としては、（Ａ）木製室外部材１１、（Ｂ）合成木製室外部材１２、（Ｃ）樹脂製室外部材１３、（Ｄ）アルミ形材製室外部材１４、（Ｅ）樹脂金属複合材製の室外部材１４０の５種類の室外部材から、（Ｄ）アルミ形材製室外部材１４のみが用意されている。
また、室内部材としては、（ａ）木製室内部材１６、（ｂ）合成木製室内部材１７、（ｃ）樹脂製室内部材１８、（ｄ）アルミ形材製室内部材１９、（ｅ）樹脂金属複合材製の室内部材１９０の材質が異なる５種類のものが用意されている。
【００４２】
ここで、合成木製の各部材１２，１７は、熱可塑性樹脂に対して木粉を３０〜７０重量％混入した材料を押出成形することで製造されている。木粉とは、木材を粉砕して得られるものに限らず、椰子殻、コーヒーかす、古紙、廃材などのセルロース系材料を粉砕等で粉状にしたものを含むものである。熱可塑性樹脂としては、ポリプロピレンまたはポリエチレン等のオレフィン系樹脂や塩化ビニル樹脂等である。なお、木製の部材１１，１６が中実であるのに対し、合成木製の場合には、押出成形が可能なため、中空形状とされている。
【００４３】
また、樹脂製の各部材１３，１８は、ポリ塩化ビニル樹脂等の熱可塑性樹脂等を押出成形することで製造されている。また、樹脂製の各部材１３，１８には、木粉を３０重量％以下程度の少量混入した木粉入り樹脂によって製造されたものも含まれる。なお、樹脂は、合成木に比べて強度が高く、かつ成形時の流動性等も優れているため、樹脂製の各部材１３，１８の肉厚は、合成木製の各部材１３，１８に比べて薄くされ、中空部が大きな形状とされている。
【００４４】
さらに、アルミ形材製の各部材１４，１９は、剛性が高く、樹脂のように中空形状にして強度を確保する必要がないため、取付部１９Ａ側の端部が開口された形状に押出成形されている。これにより、取付部１９Ａ側にはばね性が与えられ、室内部材や室外部材に密着するように構成されている。
【００４５】
また、樹脂金属複合材製の各部材１４０，１９０は、室内部材や室外部材との取付部１９０Ａがポリ塩化ビニル樹脂等の熱可塑性樹脂等で形成され、室外側あるいは室内側に露出する表面部１９０Ｂが金属（アルミ形材等）で形成されている。そして、樹脂製の取付部１９０Ａと金属製の表面部１９０Ｂとは、ビス、かしめ、接着剤等の固定手段によって互いに固定されている。このため、アルミ形材断熱窓枠２，３と同様に、樹脂製の取付部１９０Ａによって断熱性能が確保され、かつ金属製の表面部１９０Ｂにより耐候性、耐水性等が確保される。また、金属的な外観、内観を求める場合にも利用できる。
【００４６】
これらの各室内部材１６〜１９，１９０は、室外部材１４への取付構造や取付寸法（取付部１６Ａ〜１９Ａ，１９０Ａの高さ寸法Ｈ１等）が共通化されており、各室内部材１６〜１９，１９０から選択したものを室外部材１４に自由に組み合わせて框を構成することができるようにされている。
そして、障子５は、室外部材１０および室内部材１５を組み合わせて框を構成し、さらにガスケット等を介して単板ガラスや複層ガラス（網入りガラスも含む）を框に組み込んで構成される。
【００４７】
窓枠２，３は、見込み寸法は約７０mmおよび１００mmと異なるが、共通した障子を組み込むことができるように、室外側の戸当たり部および室内側の戸当たり部間の寸法Ｌ４が共通化されている。
【００４８】
そして、建物にサッシ窓として設置する場合には、その建物の立地条件や意匠のユーザーの要望等に応じて、窓枠２，３の一方を選択して設置するとともに、室内部材１６〜１９，１９０から選択した室内部材と室外部材１４とを組み合わせた障子を組み込んで窓枠２，３に固定することで、ＦＩＸのサッシ窓を構成している。
【００４９】
図４および図５は、障子の各框を（Ｄ）アルミ形材製室外部材１４と、（ａ）木製室内部材１６とを組み合わせて形成してアルミ木複合障子６を構成し、このアルミ木複合障子６を窓枠２に組み込んだサッシ窓１００の縦断面図および横断面図である。
【００５０】
窓枠２は、上枠２１、下枠２２と左右両端の縦枠２３とを四角枠状に接合して形成されている。
【００５１】
上枠２１および左右両端の縦枠２３は、非鉄金属であるアルミを押出成形によって一体成形したアルミ形材製の枠本体に断熱性カバー２２１，２２３を取り付けて構成されている。
また、下枠２２は、非鉄金属であるアルミ製の室外部材２２Ａと、アルミ製の室内部材２２Ｂと、これらの室外部材２２Ａおよび室内部材２２Ｂを連結するウレタン樹脂製の断熱部材２２Ｃとで構成された枠本体に、断熱性カバー２２２を取り付けて構成されている。
【００５２】
なお、下枠２２は、樹脂注入方式で製造されている。すなわち、前記室外部材２２Ａおよび室内部材２２Ｂは、それぞれアルミの押出成形によって一体成形されており、この一体成形された枠２２の凹状のウレタン注入ポケットにウレタン樹脂を注入して硬化させた後に、前記室外部材２２Ａおよび室内部材２２Ｂの連結部をカッター等で切断して分離することで下枠２２を製造している。
【００５３】
なお、下枠２２は、合成樹脂製の帯板状の断熱部材を各室内外部材間に１枚以上配置してかしめて連結して構成したものを用いてもよい。
【００５４】
断熱性カバー２２１は、上枠２１の下面の室内側部分に取り付けられている。同様に、断熱性カバー２２２は下枠２２の室内部材２２Ｂの上面に取り付けられ、断熱性カバー２２３は縦枠２３の室内面に取り付けられている。
【００５５】
各断熱性カバー２２１〜２２３には、アルミ木複合障子６が当接される室内側戸当たり部２２１Ａ〜２２３Ａがそれぞれ一体に形成されている。そして、この室内側戸当たり部２２１Ａ〜２２３Ａには、アルミ木複合障子６の室内面に当接し、かつ四周連続するシール材（気密材）２５が取り付けられている。
【００５６】
そして、各断熱性カバー２２１〜２２３は、障子６の内周面から少なくとも各枠２１〜２３の室内側端縁まで延長され、枠２１〜２３において障子６を固定した際に室内側に露出する露出面部を被覆している。
【００５７】
また、各枠２１〜２３の室外側近傍には、障子６が当接する室外側戸当たり部２１Ｄ〜２３Ｄが一体に形成されている。そして、これらの室外側戸当たり部２１Ｄ〜２３Ｄにも、四周連続するシール材（気密材）２６が取り付けられている。
【００５８】
一方、窓枠２内に配置されるアルミ木複合障子６は、上框３１、下框３２、および左右の竪框３３を四周框状に組んで構成されている。そして、各框３１〜３３の内周面には、複層ガラス３５が複層ガスケット３６を介して嵌合されている。
【００５９】
各框３１〜３３は、それぞれアルミ形材製室外部材１４で構成された室外部材３１Ａ〜３３Ａと、木製室内部材１６で構成された室内部材３１Ｂ〜３３Ｂとで構成されている。
そして、これらの各框３１〜３３において、室外部材３１Ａ〜３３Ａがそれぞれ室外側戸当たり部２１Ｄ〜２３Ｄのシール材２６に当接され、室内部材３１Ｂ〜３３Ｂが室内側戸当たり部２２１Ａ〜２２３Ａのシール材２５に当接するように構成されている。
【００６０】
下枠２２の室外側上面には樹脂もしくは金属製の位置決め部材１０１が固定され、上枠２１の室外側下面には板バネ等で形成された係合部材１０２が固定されている。この位置決め部材１０１、係合部材１０２により、障子６の各框３１，３２が枠２１，２２に係止される。
さらに、断面クランク状に折曲されかつ竪框３３の側面にビス等で固定された固定金具１０５には、縦枠２３を介してビス１０６がねじ込まれ、これにより障子６は窓枠２に固定されてＦＩＸ窓１００が形成されている。なお、断熱性カバー２２３には、カバー２２３を縦枠２３に固定するビスを被覆するための樹脂製のカバー２２４がはめ込まれている。
【００６１】
なお、障子６の見込み寸法（室内外方向の寸法）はＬ１とされている。また、各框３１〜３３の室内部材３１Ｂ〜３３Ｂにおいて、室外部材３１Ａ〜３３Ａからの突出寸法（室内外方向の寸法）はＬ２，Ｌ３とされている。一方、窓枠２において、室外側戸当たり部２１Ｄ〜２３Ｄおよび室内側戸当たり部２２１Ａ〜２２３Ａ間の寸法は前述の通りＬ４とされている。
【００６２】
さらに、各上下框３１，３２の室内部材３１Ｂ，３２Ｂにおいて、室外部材３１Ａ，３２Ａに取り付けられる取付部１６Ａ（室外部材３１Ａ，３２Ａの凹部内に挿入されている部分）の見付け（高さ）寸法はＨ１、室外部材３１Ａ，３２Ａからガラス側に突出された突出部（ガラス保持片の部分）の見付け寸法はＨ２、室外部材３１Ａ，３２Ａから窓枠側に突出されたシール当接部の見付け寸法はＨ３とされている。
【００６３】
同様に、各竪框３３の室内部材３３Ｂにおいて、室外部材３３Ａに取り付けられる取付部１６Ａの見付け（幅）寸法はＷ１、室外部材３３Ａからガラス側に突出された突出部（ガラス保持片部分）の見付け寸法はＷ２、室外部材３３Ａから窓枠側に突出されたシール当接部の見付け寸法はＷ３とされている。
【００６４】
そして、これらの各寸法Ｌ１〜Ｌ４，Ｈ１〜Ｈ３，Ｗ１〜Ｗ３は、後述する各障子や各枠でも同一である。なお、各寸法の具体的な値は、実施にあたって適宜設定すればよい。
【００６５】
また、本実施形態においては、窓枠の幅寸法や高さ寸法は各窓枠において同一とされている。この窓寸法や高さ寸法は、設置する窓の大きさに応じて設定される。
【００６６】
次に、（Ｄ）アルミ形材製室外部材１４と（ｂ）合成木製室内部材１７とを組み合わせてアルミ合成木複合障子７を構成し、このアルミ合成木複合障子７を窓枠２に組み込んだサッシ窓（ＦＩＸ窓）１１０について、図６の縦断面図および図７の横断面図を参照して説明する。なお、以下の説明において前記サッシ窓１００の各構成要素と同一あるいは相当構成要素には同一符号を付し、説明を省略あるいは簡略する。
【００６７】
窓枠２は、サッシ窓１００と同一のものである。一方、窓枠２内に配置されるアルミ合成木複合障子７は、各上框３１〜３３の室内部材３１Ｂ〜３３Ｂを、合成木製室内部材１７で構成した点のみがサッシ窓１００と相違し、室外部材３１Ａ〜３３Ａ等の構成は同一である。
【００６８】
また、アルミ合成木複合障子７の室内部材３１Ｂ〜３３Ｂは、室外部材３１Ａ〜３３Ａ内に取り付けられる取付部１７Ａの室外側端部形状および寸法（取付部１７Ａの見込み寸法等が、木製室内部材１６で構成された室内部材３１Ｂ〜３３Ｂと多少相違するが、室内露出部の外形やその寸法等は同一である。従って、アルミ合成木複合障子７の各寸法Ｌ１〜Ｌ４、Ｈ１〜Ｈ３，Ｗ１〜Ｗ３は、アルミ木複合障子６と同一である。
【００６９】
以上、各框３１〜３３の室内部材３１Ｂ〜３３Ｂとして、（ａ）木製室内部材１６を用いたアルミ木複合障子６、（ｂ）合成木製室内部材１７を用いたアルミ合成木複合障子７について説明したが、他の室内部材、つまり、（ｃ）樹脂製室内部材１８を用いたアルミ樹脂複合障子や、（ｄ）アルミ形材製室内部材１９を用いたアルミ形材障子、（ｅ）樹脂金属複合材製の室内部材１９０を用いたアルミ樹脂金属複合障子も、前記各障子６，７と同様の構成になる。なお、アルミ樹脂金属複合障子は、金属としてアルミ形材を用いれば、アルミ樹脂アルミ複合障子つまりアルミ形材断熱障子となる。
【００７０】
すなわち、図２，３に示すように、（ｃ）樹脂製室内部材１８は、（ｂ）合成木製室内部材１７と外周形状および寸法がほぼ同一である。このため、（ｃ）樹脂製室内部材１８は、（ｂ）合成木製室内部材１７と同じ取付方法で、室外部材１４に取り付けられる。
また、（ｄ）アルミ形材製室内部材１９も、室内側に露出する部分の外周形状等は、各室内部材１６〜１８と同一である。また、取付部１９Ａは、室外部材１４に係止、ビス止めされる部分の位置（寸法）等は各室内部材１６〜１８と同一である。このため、（ｄ）アルミ形材製室内部材１９も他の室内部材１６〜１８と同じ取付方法で、室外部材１４に取り付けられる。
さらに、（ｅ）樹脂金属複合材製室内部材１９０も、室内側に露出する部分の外周形状等は、各室内部材１６〜１９と同一である。また、取付部１９０Ａは、室外部材１４に係止、ビス止めされる部分の位置（寸法）等は各室内部材１６〜１９と同一である。このため、（ｅ）樹脂金属複合材製室内部材１９０も他の室内部材１６〜１９と同じ取付方法で、室外部材１４に取り付けられる。
【００７１】
次に、これらの各障子６，７を、窓枠３とを組み合わせたサッシ窓（ＦＩＸ窓）１２０について、障子として（ｂ）合成木製室内部材１７を用いたアルミ合成木複合障子７を用いた例を図８の縦断面図および図９の横断面図を参照して説明する。なお、以下の説明において前記サッシ窓１００，１１０の各構成要素と同一あるいは相当構成要素には同一符号を付し、説明を省略あるいは簡略する。
【００７２】
アルミ合成木複合障子７は、前記サッシ窓１１０と同一である。一方、窓枠３は、１００mm見込みの窓枠である点で、７０mm見込みの窓枠２を用いている前記サッシ窓１１０と相違する。
具体的には、窓枠３は、室外側戸当たり部２１Ｄ〜２３Ｄの室外側部分が室外側に向かって延長されているとともに、窓台や柱に当接する室内側部分も室内側に向かって延長されて見込み寸法が大きくされている。具体的には、見込み寸法（窓枠の室外端から窓台や柱などに当接する部分までの室内外方向の寸法）Ｌ６が１１５mmとされており、見込み寸法Ｌ５が７１mmであった窓枠２よりも大きくされている。
【００７３】
窓枠３は、上枠７１、下枠７２と左右両端の縦枠７３とを四角枠状に接合して形成されている。
上枠７１および左右両端の縦枠７３は、非鉄金属であるアルミを押出成形によって一体成形したアルミ形材製の枠本体に断熱性カバー２７１，２７３を取り付けて構成されている。
また、下枠７２は、非鉄金属であるアルミ製の室外部材７２Ａと、アルミ製の室内部材７２Ｂと、これらの室外部材７２Ａおよび室内部材７２Ｂを連結するウレタン樹脂製の断熱部材７２Ｃとで構成された枠本体に、断熱性カバー２７２を取り付けて構成されている。
【００７４】
このサッシ窓（ＦＩＸ窓）１２０においても、窓枠３の見込み寸法Ｌ６が、窓枠２の見込み寸法Ｌ５と相違するだけであり、他の各寸法Ｌ１〜Ｌ４，Ｈ１〜Ｈ３，Ｗ１〜Ｗ３は前記サッシ窓１１０と同一である。
また、納まりの相違によって、断熱性カバー２７１〜２７３の形状は、多少相違するが、その他の基本的な構成は類似する。特に、各戸当たり部間の寸法Ｌ４は窓枠２と同一であるため、窓枠２，３で同じ障子６，７を組み込むことができるように構成されている。
【００７５】
なお、他の各障子（アルミ木複合障子６、アルミ樹脂複合障子、アルミ形材障子、アルミ樹脂金属複合障子）と窓枠３とを組み合わせた各サッシ窓も、サッシ窓（ＦＩＸ窓）１２０と同様のため、説明を省略する。
【００７６】
このような本実施形態においては、サッシ窓を設置する建物を建てる地域や環境、建物におけるサッシ窓の設置箇所、意匠等を考慮して、窓枠２，３を選択すると共に、障子５の室内部材１５を５種類の室内部材１６〜１９，１９０から選択して室外部材１４と組み合わせて、アルミ木複合障子６、アルミ合成木複合障子７、アルミ樹脂複合障子、アルミ形材障子、アルミ樹脂金属複合障子のいずれかを構成し、選択した障子を前記窓枠２，３に組み合わせて各サッシ窓１００，１１０，１２０等を構成すればよい。
【００７７】
例えば、耐久性やコストを重視する場合には、コストパフォーマンスに優れた（ｄ）アルミ形材製室内部材１９を用いたアルミ形材障子を選択すればよい。また、断熱性能を重視しかつ内壁の色に合わせて障子の色を選択したい場合には、比較的カラーリングの自由度が高い（ｃ）樹脂製室内部材１８を用いたアルミ樹脂複合障子を選択すればよい。
さらに、障子の室内面において天然木の木質感、触感を希望する場合には、（ａ）木製室内部材１６を用いたアルミ木複合障子６を選択すればよい。また、天然木と同様に柾目模様を表現できて天然木に近い十分な木質感、触感を得ることができると共に、耐水性等にも優れた性能を得たい場合には、（ｂ）合成木製室内部材１７を用いたアルミ合成木複合障子７を選択すればよい。
また、障子の室内面において金属的な質感、触感を希望し、かつ断熱性能も高めたい場合には、（ｅ）樹脂金属複合材製室内部材１９０を用いたアルミ樹脂金属複合障子を選択すればよい。
【００７８】
なお、窓枠２，３は、壁の納まりや断熱性能等を考慮し、適宜選択すればよい。さらに、各障子は、各窓枠２，３に対して着脱可能であるから、窓枠２，３が既に設置されているサッシ窓において、障子を適宜交換して断熱性能を変化させてもよい。
【００７９】
このような本実施形態によれば、次のような効果がある。
(1) 障子を構成するにあたって、１種類の室外部材１４と、５種類の室内部材１６〜１９，１９０とを用意し、これらの室内外部材を自由に組み合わせて５種類の障子を構成できるので、室内側の内部意匠や断熱性能等の機能の異なる各種の障子を容易に構成することができ、ユーザーの要望する障子を提供することができる。
その上、各室内部材１６〜１９，１９０の室外部材１４との取付部１６Ａ〜１９Ａ，１９０Ａの取付構造が共通化されているので、１種類の室外部材１４に、機能が異なる各室内部材１６〜１９，１９０を自由に選択して組み合わせることができる。このため、材質が異なる各室内部材１６〜１９，１９０毎に、構造が異なる室外部材１４を用意する必要が無く、室外部材１４の種類を１種類にできるため、製造コストを大幅に低減できる。さらに、室外部材１４が１種類であるから、その管理コストを大幅に軽減でき、室外部材１４と各室内部材１６〜１９，１９０との取付構造も共通化されているので、障子の組立作業性も向上できる。
従って、各室内部材１６〜１９，１９０と室外部材１４とを組み合わせたアルミ木複合障子６、アルミ合成木複合障子７、アルミ樹脂複合障子、アルミ形材障子、アルミ樹脂金属複合障子を安価に提供することができる。
【００８０】
(2) 障子を、室外部材１４および各室内部材１６〜１９，１９０を組み合わせて構成しているので、各建物や建物における窓の設置位置、さらにはユーザーの要望に合わせた断熱性能や意匠の障子つまりサッシ窓を容易に設定することができる。この結果、従来の断熱サッシ窓ではコスト面や機能面で見合わなかったために一般的なサッシ窓を用いていた地方においても、それほどコストを増加させることなく断熱性能を向上させたサッシ窓を用いることができる。このため、建物における冷暖房効果を向上できて省エネルギー化も図ることができるとともに、結露の発生も押さえることができる。
【００８１】
(3) 各室内部材１６〜１９，１９０は、室外部材１４からの見込み寸法Ｌ２，Ｌ３や高さ寸法Ｈ３、見付け寸法Ｗ３が同一とされているので、各室内部材１６〜１９，１９０のいずれを選択した場合でも、各室内部材１６〜１９，１９０に当接するシール材２５等の付属部品を共通化でき、コストを低減できる。
【００８２】
(4) 各室内部材１６〜１９，１９０は、室外部材１４からの高さ寸法Ｈ２や見付け寸法Ｗ２が同一とされているので、障子の面材であるガラス３５を支持する支持構造を共通化でき、ガスケット３６等も複層ガラス用および単板ガラス用ではそれぞれ同一のものにすることができる。このため、ガラス３５やガスケット３６等の部品の種類を少なくでき、組立間違いや発注間違い等も少なくでき、在庫管理や物流管理なども簡易になるため、製造、在庫管理等のコストを低減することができる。
【００８３】
(5) 各室内部材１６〜１９，１９０は、上下框３１，３２の室内部材３１Ｂ，３２Ｂ同士や、竪框３３の室内部材３３Ｂ同士で、それぞれ室内側露出面部の外周形状や寸法等が同一とされているので、押出成形によって製造が可能な、合成木、樹脂、金属（アルミ）等の金型や製造設備を一部共用することなどもでき、製造効率を向上することができる。
その上、各室内部材１６〜１９，１９０において、上下框３１，３２用の室内部材３１Ｂ，３２Ｂは同一形状であり、左右の各竪框３３用の室内部材３３Ｂも同一形状であるため、室内部材としては、各材質毎に２種類の室内部材を製造すればよく、この点でも種類を少なくできて、製造、管理等のコストをより一層低減することができる。
【００８４】
(6) 窓枠２，３は、室外側戸当たり部２１Ｄ〜２３Ｄおよび室内側戸当たり部２２１Ａ〜２２３Ａ間の寸法Ｌ４が同一であるため、アルミ木複合障子６、アルミ合成木複合障子７、アルミ樹脂複合障子、アルミ形材障子、アルミ樹脂金属複合障子の各障子は窓枠２，３に自由に取り付けることができる。このため、例えばアルミ木複合障子６が取り付けられていた建物であっても、後から他のアルミ合成木複合障子７、アルミ樹脂複合障子、アルミ形材障子、アルミ樹脂金属複合障子に交換して断熱性能や意匠を変えたサッシ窓を容易に構成することができる。特に、各障子は、シール材２５，２６等の取付位置も同一とされているので、簡単に交換することができ、既設のサッシ窓（ＦＩＸ窓）の断熱性能も簡単にかつ安価に変更することができる。
【００８５】
(7) 窓枠２，３の室内露出面部には断熱性カバー２２１〜２２３，２７１〜２７３が被覆されているので、窓枠２、３での結露を抑えることができ、窓枠２，３における断熱性能も高めることができる。
さらに、カバー材２２１〜２２３，２７１〜２７３は、枠本体と異なり、障子を支持するものではなく、強度面の制限が無いため、その材質は、木、合成木、樹脂等に自由に設定できる。このため、本実施形態のように枠本体をアルミ形材断熱材とした場合でも、カバー材２２１〜２２３，２７１〜２７３は、木、合成木、樹脂などに設定でき、障子の室内部材に合わせて選択することもでき、建具として統一した内観にするなど意匠性を簡単に向上することができる。
【００８６】
(8) 窓枠２，３において、上枠２１，７１や縦枠２３，７３は、額縁の室内面には延長されておらず、断熱性カバー２２１，２２３，２７１，２７３のみを延長しているので、断熱性カバー２２１，２２３，２７１，２７３の額縁の室内面に延長された部分には上枠２１，７１や縦枠２３，７３が直接接触せず、枠材からの熱伝達を抑えることができる。このため、仮に上枠２１，７１や縦枠２３，７３が外気で冷やされた場合でも、断熱性カバー２２１，２２３，２７１，２７３の室内側端部には熱が伝導しにくいため、結露の発生を抑えることができる。
【００８７】
(9) 一方、窓枠２，３の下枠２２，７２は、膳板の室内面まで延長されているが、断熱部材２２Ｃ，７２Ｃを介在させて室外部材２２Ａ，７２Ａと室内部材２２Ｂ，７２Ｂとの熱伝導を抑えているため、室内部材２２Ｂ，７２Ｂによって断熱性カバー２２２，２７２が冷やされることがほとんどなく、結露発生を抑えることができる。
【００８８】
次に、本発明の第２実施形態について説明する。
本実施形態は、図１０〜１７に示すように、縦辷り出し窓４００，４１０，４２０，４３０に本発明を適用したものである。なお、各縦辷り出し窓４００，４１０，４２０，４３０は、ＦＩＸ窓の窓枠２，３、障子６，７を利用し、辷り出しアーム（４バーヒンジや６バーヒンジ）４４０やグレモンハンドル４４１を利用して開閉可能に構成している。このため、窓枠２，３や障子６，７等の前記第１実施形態と共通する構成に関しては説明を省略あるいは簡略する。
【００８９】
図１０，１１に示す縦辷り出し窓４００は、アルミ形材製室外部材１４からなる室外部材３１Ａ〜３３Ａと、木製室内部材１６からなる室内部材３１Ｂ〜３３Ｂとを組み合わせたアルミ木複合障子６を、窓枠２に組み込んで構成されている。そして、窓枠２の上枠２１、下枠２２と、アルミ木複合障子６の上框３１、下框３２との間に、それぞれステンレス製の辷り出しアーム４４０を取り付けて、窓枠２に対して障子６を開閉可能に設けている。
【００９０】
また、アルミ木複合障子６の室内側には、アコーディオン式に折り畳んで収納可能な収納網戸４５０が取り付けられている。この収納網戸４５０のフレーム４５１は、連結部材４５２および縦枠２３の断熱性カバー２２３を介して額縁に固定されている。
【００９１】
図１２，１３に示す縦辷り出し窓４１０は、アルミ形材製室外部材１４からなる室外部材３１Ａ〜３３Ａと、合成木製室内部材１７からなる室内部材３１Ｂ〜３３Ｂとを組み合わせたアルミ合成木複合障子７を、窓枠２に組み込んで構成されている。そして、窓枠２の上枠２１、下枠２２と、アルミ合成木複合障子７の上框３１、下框３２との間に、それぞれステンレス製の辷り出しアーム４４０を取り付けて、窓枠２に対して障子７を開閉可能にしている点は同一である。
【００９２】
また、アルミ合成木複合障子７の室内側には、上げ下げ式の網戸４６０が取り付けられている。この上げ下げ式網戸４６０のガイドレール４６１は、縦枠２３の断熱性カバー２２３に着脱可能に取り付けられている。
【００９３】
図１４，１５に示す縦辷り出し窓４２０は、縦辷り出し窓４００の窓枠２の代わりに窓枠３を用いた点が相違する。
すなわち、縦辷り出し窓４２０は、アルミ形材製室外部材１４からなる室外部材３１Ａ〜３３Ａと、木製室内部材１６からなる室内部材３１Ｂ〜３３Ｂとを組み合わせたアルミ木複合障子６を、窓枠３に組み込んで構成されている。ここで、窓枠３の上枠７１、下枠７２と、アルミ木複合障子６の上框３１、下框３２との間に、それぞれステンレス製の辷り出しアーム４４０を取り付けて、窓枠３に対して障子６を開閉可能にしている点は同一である。
また、アルミ木複合障子６の室内側には、収納網戸４５０が取り付けられている。
【００９４】
図１６，１７に示す縦辷り出し窓４３０は、縦辷り出し窓４１０の窓枠２の代わりに窓枠３を用いた点と、ロール網戸４７０を設けた点が相違する。
すなわち、縦辷り出し窓４３０は、アルミ形材製室外部材１４からなる室外部材３１Ａ〜３３Ａと、合成木製室内部材１７からなる室内部材３１Ｂ〜３３Ｂとを組み合わせたアルミ合成木複合障子７を、窓枠３に組み込んで構成されている。ここで、窓枠３の上枠７１、下枠７２と、アルミ合成木複合障子７の上框３１、下框３２との間に、それぞれステンレス製の辷り出しアーム４４０を取り付けて、窓枠３に対して障子７を開閉可能にしている点は同一である。
また、アルミ合成木複合障子７の室内側には、上げ下げ網戸４６０の代わりにロール網戸４７０が取り付けられている。
【００９５】
このような第２実施形態においても、障子としては、（ａ）木製室内部材１６を用いたアルミ木複合障子６、（ｂ）合成木製室内部材１７を用いたアルミ合成木複合障子７に限らず、他の室内部材、つまり、（ｃ）樹脂製室内部材１８を用いたアルミ樹脂複合障子や、（ｄ）アルミ形材製室内部材１９を用いたアルミ形材障子、（ｅ）樹脂金属複合材製室内部材１９０を用いたアルミ樹脂金属複合障子を用いてもよい。
また、各網戸４５０，４６０，４７０は、窓枠２，３や障子に種類に関係なく、ユーザーが希望するものを適宜選択して取り付ければよい。
【００９６】
このような本実施形態においても、前記第１実施形態の(1)〜(9)と同じ効果を奏することができる。
(10)さらに、各縦辷り出し窓４００〜４３０は、嵌め殺し窓１００，１１０，１２０で用いられていた窓枠２，３や、各障子をそのまま利用し、辷り出しアーム４４０やグレモンハンドル４４１等を追加するだけで構成することができる。このため、縦辷り出し窓４００〜４３０や嵌め殺し窓１００，１１０，１２０で、窓枠２，３や障子を兼用でき、その分、製造コストや管理コストを低減できるとともに、量産効果によって安価に提供できる。
【００９７】
(11)また、障子のアルミ形材製室外部材１４が各障子で同一でもあり、各障子の外周面と窓枠２，３の内周面との間隔や位置関係が同一であるため、障子を開閉するための開閉機構部品である辷り出しアーム４４０やグレモンハンドル４４１等の付属部品を共通化でき、コストを低減できる。このため、引違い窓等に比べて辷り出しアーム４４０等の付属部品が多い辷り出し窓において、断熱性能や意匠の自由度を向上でき、かつ付属部品を共通化できてコストを大幅に削減することができる。
【００９８】
次に、本発明の第３実施形態について説明する。
本実施形態は、図１８〜２２に示すように、引違い窓５００，５１０に本発明を適用したものである。
本実施形態においては、図１８に示すように、窓枠１として、（ウ）各枠材が断熱形材で構成された１００mm見込みのアルミ形材断熱窓枠４が用意されている。また、障子５の室外部材１０としては、（Ａ）木製室外部材１１、（Ｂ）合成木製室外部材１２、（Ｃ）樹脂製室外部材１３、（Ｄ）アルミ形材製室外部材１４、（Ｅ）樹脂金属複合材製室外部材１４０の５種類の室外部材から、（Ｄ）アルミ形材製の室外部材１４のみが用意されている。また、室内部材１５としては、（ａ）木製室内部材１６、（ｂ）合成木製室内部材１７、（ｃ）樹脂製室内部材１８、（ｄ）アルミ形材製室内部材１９、（ｅ）樹脂金属複合材製室内部材１９０の材質が異なる５種類のものが用意されている。
【００９９】
図１９および図２０は、障子の各框を（Ｄ）アルミ形材製の室外部材１４と、（ａ）木製の室内部材１６とを組み合わせて形成してアルミ木複合障子８を構成し、このアルミ木複合障子８を（ウ）アルミ形材断熱窓枠４に組み込んだサッシ窓（引違い窓）５００の縦断面図および横断面図である。
窓枠４は、上枠４１、下枠４２と左右両端の縦枠４３とを四角枠状に接合して形成された枠本体と、この枠本体の室内側露出面を被覆する断熱性カバーとで構成されている。また、アルミ木複合障子８は、外障子８Ａおよび内障子８Ｂで構成されている。
【０１００】
各枠４１，４２，４３は、前記実施形態の下枠２２、７２と同様に、アルミ断熱形材で構成されている。すなわち、各枠４１，４２，４３は、それぞれ非鉄金属であるアルミ製の室外部材４１Ａ，４２Ａ，４３Ａと、アルミ製の室内部材４１Ｂ，４２Ｂ，４３Ｂと、これらの室外部材４１Ａ，４２Ａ，４３Ａおよび室内部材４１Ｂ，４２Ｂ，４３Ｂをそれぞれ連結するウレタン樹脂製の断熱部材４１Ｃ，４２Ｃ，４３Ｃとで構成されている。
【０１０１】
上枠４１の下面には、外レール４６が垂設され、この外レール４６の室内側には断熱性カバー５２１が取り付けられている。この断熱性カバー５２１は額縁に当接する位置まで延長され、障子８を閉めた際に上枠４１において室内側に露出する部分（室内側露出面部）を被覆している。
また、上枠４１には、断熱性カバー５２１を介して内レール４７用の部材がビス止めされている。これにより、内レール４７部分は室内側に露出するが、断熱性カバー５２１が介在されていることで上枠４１からの熱伝導が抑えられている。
【０１０２】
下枠４２の室外部材４２Ａには外レール４６が立設され、室内部材４２Ｂには内レール４７が立設されている。そして、障子８を閉めた際に下枠４２において室内側に露出する室内側露出面部を断熱性カバー５２２，５２３，５２４の３つのカバー材で被覆している。
また、障子８を閉めた際に左右の各縦枠４３において室内側に露出する室内側露出面部は、断熱性カバー５２５，５２６でそれぞれ被覆されている。
【０１０３】
一方、窓枠４内に配置されるアルミ木複合障子８は、室外側に配置されて外レール４６でガイドされる外障子８Ａと、室内側に配置されて内レール４７でガイドされる内障子８Ｂとを備えている。
【０１０４】
これらの各障子８Ａ，８Ｂは、上框８１，８６と、下框８２，８７と、左右の竪框８３，８８と、外召合せ框８４および内召合せ框８９とをそれぞれ四角枠状に組んで構成されている。そして、各框８１〜８９の内周面には、複層ガラス３５がガスケット３６を介して嵌合されている。
【０１０５】
各框８１〜８３，８６〜８９は、それぞれ（Ｄ）アルミ形材製室外部材１４で構成された室外部材８１Ａ〜８３Ａ，８６Ａ〜８９Ａと、（ａ）木製室内部材１６で構成された室内部材８１Ｂ〜８３Ｂ，８６Ｂ〜８９Ｂとで構成されている。このうち、各下框８２，８７は、下端部が雨水などに接する可能性があるため、木製室内部材１６で構成された室内部材８２Ｂ，８７Ｂの下側に、（ｂ）合成木製室内部材１７または（ｃ）樹脂製室内部材１８（本実施形態では樹脂製室内部材１８）で構成された室内部材８２Ｃ，８７Ｃを取り付けている。
また、外障子８Ａの外召合せ框８４は、アルミ形材のみで構成されている。
【０１０６】
図２１および図２２は、障子の各框を（Ｄ）アルミ形材製の室外部材１４と、（ｂ）合成木製室内部材１７とを組み合わせて形成してアルミ合成木複合障子９を構成し、このアルミ合成木複合障子９を（ウ）アルミ形材断熱窓枠４に組み込んだサッシ窓（引違い窓）５１０の縦断面図および横断面図である。
すなわち、サッシ窓（引違い窓）５００のアルミ木複合障子８における（ａ）木製室内部材１６からなる各室内部材８１Ｂ〜８３Ｂ，８６Ｂ〜８９Ｂを、（ｂ）合成木製室内部材１７に交換したものである。
【０１０７】
ここで、（ａ）木製室内部材１６で構成された室内部材８１Ｂ〜８３Ｂ，８６Ｂ〜８９Ｂと、（ｂ）合成木製室内部材１７で構成された室内部材８１Ｂ〜８３Ｂ，８６Ｂ〜８９Ｂとは、それぞれ外周形状や寸法が同一とされ、各室外部材８１Ａ〜８３Ａ，８６Ａ〜８９Ａとの取付構造が共通化されているので、室外部材８１Ａ〜８３Ａ，８６Ａ〜８９Ａに対して自由に交換して取り付けることができる。
【０１０８】
なお、図示しないが、室内部材８１Ｂ〜８３Ｂ，８６Ｂ〜８９Ｂを、（ｃ）樹脂製室内部材１８、（ｄ）アルミ形材製室内部材１９、（ｅ）樹脂金属複合材製室内部材１９０に交換したものも同じ構成になる。
このように、本実施形態においても、各室内部材８１Ｂ〜８３Ｂ，８６Ｂ〜８９Ｂは、（ａ）木製室内部材１６、（ｂ）合成木製室内部材１７、（ｃ）樹脂製室内部材１８、（ｄ）アルミ形材製室内部材１９、（ｅ）樹脂金属複合材製室内部材１９０のものから自由に選択して組み合わせることができるように、取付構造やシール等との当接部の外周形状等が共通化されている。
【０１０９】
この第３実施形態においても、前記第１実施形態の(1)〜(9)と同じ作用効果を奏することができる。
さらに、(12)各障子８，９の見込み寸法等が同一であるため、外障子８Ａの室外側に配置される網戸も共通のものが利用でき、コストをより低減できる。また、各障子８，９と窓枠４との間に設けられる各シールの接触圧も一定にでき、確実なシール性能を確保することができる。
【０１１０】
なお、本発明は、前述の各実施形態に限定されない。
例えば、前記各実施形態では、室外部材１０を（Ｄ）アルミ形材製室外部材１４の１種類としていたが、他の（Ａ）木製室外部材１１、（Ｂ）合成木製室外部材１２、（Ｃ）樹脂製室外部材１３、（Ｅ）樹脂金属複合材製室外部材１４０のいずれか１種類を用意してもよい。さらに、各室外部材１１〜１４，１４０のうちのいずれか２種類以上を用意して、室外部材１１〜１４，１４０を選択できるようにしてもよい。すなわち、２種類（記号で示せば、Ａ＋Ｂ、Ａ＋Ｃ、Ａ＋Ｄ、Ａ＋Ｅ、Ｂ＋Ｃ、Ｂ＋Ｄ、Ｂ＋Ｅ、Ｃ＋Ｄ、Ｃ＋Ｅ、Ｄ＋Ｅの１０通りの組み合わせ）用意してもよいし、３種類（Ａ＋Ｂ＋Ｃ、Ａ＋Ｂ＋Ｄ、Ａ＋Ｂ＋Ｅ、Ａ＋Ｃ＋Ｄ、Ａ＋Ｃ＋Ｅ、Ａ＋Ｄ＋Ｅ、Ｂ＋Ｃ＋Ｄ、Ｂ＋Ｃ＋Ｅ、Ｂ＋Ｄ＋Ｅ、Ｃ＋Ｄ＋Ｅの１０通りの組み合わせ）用意してもよいし、４種類（Ａ＋Ｂ＋Ｃ＋Ｄ、Ａ＋Ｂ＋Ｃ＋Ｅ、Ａ＋Ｂ＋Ｄ＋Ｅ、Ａ＋Ｃ＋Ｄ＋Ｅ、Ｂ＋Ｃ＋Ｄ＋Ｅの５通りの組み合わせ）用意してもよいし、５種類すべて（Ａ＋Ｂ＋Ｃ＋Ｄ＋Ｅ）を用意してもよい。
【０１１１】
同様に、前記各実施形態では、室内部材１５を（ａ）木製室内部材１６、（ｂ）合成木製室内部材１７、（ｃ）樹脂製室内部材１８、（ｄ）アルミ形材製室内部材１９、（ｅ）樹脂金属複合材製室内部材１９０の５種類用意していたが、５種類すべて用意しなくてもよく、各室内部材１６〜１９，１９０のいずれか２種類以上を用意すればよい。例えば、２種類（記号で示せば、ａ＋ｂ、ａ＋ｃ、ａ＋ｄ、ａ＋ｅ、ｂ＋ｃ、ｂ＋ｄ、ｂ＋ｅ、ｃ＋ｄ、ｃ＋ｅ、ｄ＋ｅの１０通りの組み合わせ）用意してもよいし、３種類（ａ＋ｂ＋ｃ、ａ＋ｂ＋ｄ、ａ＋ｂ＋ｅ、ａ＋ｃ＋ｄ、ａ＋ｃ＋ｅ、ａ＋ｄ＋ｅ、ｂ＋ｃ＋ｄ、ｂ＋ｃ＋ｅ、ｂ＋ｄ＋ｅ、ｃ＋ｄ＋ｅの１０通りの組み合わせ）用意してもよいし、４種類（ａ＋ｂ＋ｃ＋ｄ、ａ＋ｂ＋ｃ＋ｅ、ａ＋ｂ＋ｄ＋ｅ、ａ＋ｃ＋ｄ＋ｅ、ｂ＋ｃ＋ｄ＋ｅの５通りの組み合わせ）用意してもよい。
【０１１２】
また、前記各実施形態とは逆に、図２３に示すように、室外部材１０を（Ａ）木製室外部材１１、（Ｂ）合成木製室外部材１２、（Ｃ）樹脂製室外部材１３、（Ｄ）アルミ形材製室外部材１４、（Ｅ）樹脂金属複合材製室外部材１４０のいずれか２種類以上を設け、室内部材１５を、例えば、（ｄ）アルミ形材製室内部材１９等の各室内部材１６〜１９，１９０の内の１種類設け、各室外部材１１〜１４，１４０を選択できるようにしてもよい。
この場合も、各室外部材１１〜１４，１４０は、交換してアルミ形材製室内部材１９に取り付けることができるように、取付構造が共通、つまり取付部の寸法、外周形状等が共通化されている。
【０１１３】
さらに、各室外部材１１〜１４，１４０および室内部材１６〜１９，１９０をそれぞれ２種類以上設け、自由に組み合わせて障子を構成できるようにしてもよい。
【０１１４】
さらに、前記各実施形態において、（Ｅ）樹脂金属複合材製室外部材１４０、（ｅ）樹脂金属複合材製室内部材１９０は、樹脂とアルミ形材等の金属材を接着などで互いに固定して形成した複合材で構成していたが、合成木と金属との複合材、木と金属との複合材等の他の材質の複合材を用いて、室外部材や室内部材を構成してもよい。
【０１１５】
障子の室外部材１０や室内部材１５としては、前記各実施形態のように、材質は異なるが各寸法は共通化されたものを用意するだけではなく、例えば、図２４に示すように、見込み寸法が前記実施形態の室内部材１５よりも大きなＬ７とされた室内部材１５のように、見込み寸法が異なる室外部材１０や室内部材１５を用意して選択できるようにしてもよい。このような見込み寸法の異なるものも用意しておけば、例えば、見込み寸法の異なる窓枠２，３において、各戸当たり部間の寸法が窓枠２，３の見込み寸法に応じて異なる場合に、各寸法に対応した室外部材１０や室内部材１５を選択して対応することができる。
【０１１６】
また、窓枠１としては、前記各窓枠２〜４に限らず、例えば、図２５に示すように、（エ）アルミ形材からなる枠本体に断熱カバーを取り付けたものでもよい。さらに、障子５と同様に、室外部材７１０および室内部材７１５で構成される窓枠７０１を用いてもよい。すなわち、室外部材７１０として、（Ａ）木製室外部材７１１、（Ｂ）合成木製室外部材７１２、（Ｃ）樹脂製室外部材７１３、（Ｄ）アルミ形材製室外部材７１４、（Ｅ）樹脂金属複合材製室外部材７４０の材質が異なる５種類のうちの少なくとも１種類以上の室外部材を用意し、室内部材７１５として、（ａ）木製室内部材７１６、（ｂ）合成木製室内部材７１７、（ｃ）樹脂製室内部材７１８、（ｄ）アルミ形材製室内部材７１９、（ｅ）樹脂金属複合材製室内部材７９０の材質が異なる５種類のうちの少なくとも１種類以上の室内部材を用意し、これらを適宜組み合わせることで構成される窓枠７０１を用いてもよい。
【０１１７】
例えば、図２６に示すように、（Ｄ）アルミ形材製室外部材７１４に、各室内部材７１６〜７１９，７９０（樹脂金属複合材製室内部材７９０は図示せず）から適宜選択した室内部材を組み合わせて窓枠を構成すればよい。これらの各室内部材７１６〜７１９，７９０も、（Ｄ）アルミ形材製室外部材７１４に対して自由に交換して取り付けることができるように、その取付構造や外形形状、寸法等が適宜共通化されている。
【０１１８】
さらに、窓枠としては、図２５に示すように、（ｉ）アルミ形材断熱窓枠７２１、（ii）樹脂窓枠７２２、（iii）アルミ形材窓枠７２３等の断熱性カバーを設けないタイプのものでもよい。さらには、図２７に示すように、窓枠２の上枠２１、下枠２２、縦枠２３の一部の枠（例えば、上枠２１）のみを室内外部材７１４，７１６等で構成したものなどでもよく、窓枠の構成は実施にあたって適宜設定すればよい。
【０１１９】
同様に、室内外部材で構成される障子においては、１つの障子で同じ材質の室外部材１０や室内部材１５を選択しなくてもよく、各框に要求される性能、意匠等の機能に応じて異なる材質の室外部材１０や室内部材１５を選択して組み合わせてもよい。同様に、室内外部材で構成される窓枠においても、各枠に要求される性能、意匠等の機能に応じて異なる材質の室外部材１０や室内部材１５を選択して組み合わせてもよい。
例えば、障子において、上框、竪框の室内部材を（ａ）木製室内部材１６で構成し、下框の室内部材を（ｂ）合成木製室内部材１７で構成して、雨水等に触れやすい下框部分の耐水性能を向上させるようにしてもよい。
【０１２０】
また、本発明は、前述の嵌め殺し窓、縦辷り出し窓、引違い窓に限らず、上げ下げ窓、横辷り出し窓、内開き窓、外開き窓、片引き窓等の各種サッシ窓や、玄関、浴室等の各種出入り口に設けられるドアや引き戸に適用してもよい。
例えば、図２８に示すような、３枚建ての引違い窓５５０等に本発明を適用してもよい。
【０１２１】
さらに、図２９に示すような、縦辷り出し窓および嵌め殺し窓等を隣接配置することで構成される連窓６００に本発明を適用してもよい。連窓６００の場合には、各窓枠２を連結する連窓方立６０１が設けられているので、この連窓方立の室内側などにもカバー材６０２を配置すればよい。
【０１２２】
また、各種のサッシ窓において、障子の内観や外観と、窓枠の内観や外観とが一致するように構成すること、特に各材質を同一にして統一感のある内観あるいは外観にすることが意匠性を向上できる点で好ましい。例えば、図３０に示すように、障子６の室外部材３３Ａがアルミ形材製室外部材１４であれば、窓枠２の室外部材（縦枠２３）もアルミ形材製室外部材７１４で構成し、障子６の室内部材３３Ｂが木製室外部材１６であれば、窓枠２の室内部材も木製室内部材７１６で構成するように、窓枠および障子の室外露出部の材質を同一にし、かつ室内露出部の材質を同一にすればよい。
この際、連窓６００の場合には、連窓方立６０１の室外露出部（方立６０１）を窓枠２の室外露出部と同じ材質にし、室内露出部（カバー材６０２）を窓枠等の室内露出部と同じ材質にすれば、連窓方立６０１を含む連窓６００全体の内観、外観を向上できる。
【０１２３】
さらに、連窓方立６０１のカバーとしては、図３０に示すように、障子７の室内部材３３Ｂ（合成木製室内部材１７）と同じ、合成木製カバー６０５を各窓枠の断熱性カバー間に配置してもよい。この場合、窓枠２の断熱性カバー２２３が合成木製カバー６０５および室内部材３３Ｂ間に露出するが、この断熱性カバー２２３を木粉入り樹脂で構成して同じような色調にしたり、あるいは合成木製カバー６０５とは異なる色にしてアクセントとしたりすることができ、ユーザーの好みに応じた意匠にすることができる。
また、図３１に示すように、合成木製カバー６０６で断熱性カバー２２３をも被覆し、連窓６００の室内外観においては、合成木部分のみが露出して統一感の高い意匠にできるように構成してもよい。
なお、図３２のように、窓枠２の断熱性カバー２２３との統一感を重視して、樹脂製カバー６０７で連窓方立６０１の室内側を被覆してもよい。
【０１２４】
また、交換可能な室外部材１０や室内部材１５は、外周形状が同じであることが好ましいが、最小限共通化が必要な部分を除けば、その形状が同一である必要はない。例えば、図３３に示す４枚建ての引違い窓における突合せ框６１０の室内部材として、図３３（Ａ）に示すような左右対称の室内部材６１０Ｂを用いてもよいし、図３３（Ｂ）に示すように左右非対称の室内部材６１０Ｃを用いてもよい。これらの各室内部材６１０Ｂ，６１０Ｃは、室外部材６１０Ａに対する取付部の形状、寸法を共通しているが、突合せ部の形状のみ相違させたものである。このように交換可能なために最小限共通化が必要な部分、すなわち、窓枠のシール材に当接する部分や、室内外部材に取り付けられる取付部や係止部、ガラス保持部等、他の部材と関連する部分は、各室外部材１０や室内部材１５で共通化しておく必要があるが、それ以外の部分の形状は各材質、意匠等に応じて適宜設定してもよい。
【０１２５】
【発明の効果】
このような本発明の障子、建具および建物によれば、室内部材や室外部材の意匠、材質などの機能をユーザーの要望するものにでき、かつコストを低減できて安価に提供できる。
【図面の簡単な説明】
【図１】本発明の第１実施形態におけるサッシ窓の組み合わせを示すブロック図である。
【図２】第１実施形態における下枠および下框の組み合わせの例を示す図である。
【図３】第１実施形態における縦枠および竪框の組み合わせの例を示す図である。
【図４】第１実施形態におけるアルミ形材断熱窓枠とアルミ木複合障子とを組み合わせた嵌め殺し窓を示す縦断面図である。
【図５】図４に示す嵌め殺し窓の横断面図である。
【図６】第１実施形態におけるアルミ形材断熱窓枠とアルミ合成木複合障子とを組み合わせた嵌め殺し窓を示す縦断面図である。
【図７】図６に示す嵌め殺し窓の横断面図である。
【図８】第１実施形態におけるアルミ形材断熱窓枠とアルミ合成木複合障子とを組み合わせた嵌め殺し窓を示す縦断面図である。
【図９】図８に示す嵌め殺し窓の横断面図である。
【図１０】本発明の第２実施形態におけるアルミ形材断熱窓枠とアルミ木複合障子とを組み合わせた縦辷り出し窓を示す縦断面図である。
【図１１】図１０に示す縦辷り出し窓の横断面図である。
【図１２】第２実施形態におけるアルミ形材断熱窓枠とアルミ合成木複合障子とを組み合わせた縦辷り出し窓を示す縦断面図である。
【図１３】図１２に示す縦辷り出し窓の横断面図である。
【図１４】第２実施形態におけるアルミ形材断熱窓枠とアルミ木複合障子とを組み合わせた縦辷り出し窓を示す縦断面図である。
【図１５】図１４に示す縦辷り出し窓の横断面図である。
【図１６】第２実施形態におけるアルミ形材断熱窓枠とアルミ合成木複合障子とを組み合わせた縦辷り出し窓を示す縦断面図である。
【図１７】図１６に示す縦辷り出し窓の横断面図である。
【図１８】本発明の第３実施形態におけるサッシ窓の組み合わせを示すブロック図である。
【図１９】第３実施形態におけるアルミ形材断熱窓枠とアルミ木複合障子とを組み合わせた引違い窓を示す縦断面図である。
【図２０】図１９に示す引違い窓の横断面図である。
【図２１】第２実施形態におけるアルミ形材断熱窓枠とアルミ合成木複合障子とを組み合わせた引違い窓を示す縦断面図である。
【図２２】図２１に示す引違い窓の横断面図である。
【図２３】本発明の変形例である室外部材を交換する組み合わせの例を示す図である。
【図２４】本発明の変形例である室内部材の見込み寸法が異なる例を示す横断面図である。
【図２５】
本発明の変形例である窓枠の構造を示すブロック図である。
【図２６】
本発明の変形例である窓枠の室外部材を交換する組み合わせの例を示す図である。
【図２７】
本発明の変形例を示す縦断面図である。
【図２８】
本発明の変形例である３枚建ての引違い窓を示す横断面図である。
【図２９】
本発明の変形例である連窓を示す横断面図である。
【図３０】
本発明の変形例である連窓の方立部分を示す横断面図である。
【図３１】
本発明の変形例である連窓の方立部分を示す横断面図である。
【図３２】
本発明の変形例である連窓の方立部分を示す横断面図である。
【図３３】
本発明の変形例である突合せ框部分を示す横断面図である。
【符号の説明】
１…窓枠、２〜４…アルミ形材断熱窓枠、５…障子、６…アルミ木複合障子、７…アルミ合成木複合障子、８…アルミ木複合障子、９…アルミ合成木複合障子、１０…室外部材、１１…木製室外部材、１２…合成木製室外部材、１３…樹脂製室外部材、１４…アルミ形材製室外部材、１４０…樹脂金属複合材製室外部材１５…室内部材、１６…木製室内部材、１７…合成木製室内部材、１８…樹脂製室内部材、１９…アルミ形材製室内部材、１９０…樹脂金属複合材製室内部材１６Ａ〜１９Ａ，１９０Ａ…取付部、２１…上枠、２２…下枠、２３…縦枠、２２Ａ…室外部材、２２Ｂ…室内部材、２２Ｃ…断熱部材、２１Ｄ〜２３Ｄ…室外側戸当たり部、３１…上框、３２…下框、３３…竪框、３１Ａ〜３３Ａ…室外部材、３１Ｂ〜３３Ｂ…室内部材、４１…上枠、４２…下枠、４３…縦枠、４１Ａ，４２Ａ，４３Ａ…室外部材、４１Ｂ，４２Ｂ，４３Ｂ…室内部材、４１Ｃ，４２Ｃ，４３Ｃ…断熱部材、７１…上枠、７２…下枠、７２Ａ…室外部材、７２Ｂ…室内部材、７２Ｃ…断熱部材、７３…縦枠、８１，８６…上框、８２，８７…下框、８３，８８…竪框、８４…外召合せ框、８９…内召合せ框、８１Ａ〜８３Ａ，８６Ａ〜８９Ａ…室外部材、８１Ｂ〜８３Ｂ，８６Ｂ〜８９Ｂ…室内部材、１００，１１０，１２０…嵌め殺し窓（サッシ窓）、２２１〜２２３，２７１〜２７３…断熱性カバー、２２１Ａ〜２２３Ａ…室内側戸当たり部、２７１〜２７３…断熱性カバー、４００，４１０，４２０，４３０…縦辷り出し窓、４４１…グレモンハンドル、４５０…収納網戸、４６０…上げ下げ式網戸、４７０…ロール網戸、５００，５１０…引違い窓、５２１〜５２６…断熱性カバー、５５０…引違い窓、６００…連窓、６０１…連窓方立、６０２…カバー材、６０５…合成木製カバー、６０６…合成木製カバー、６０７…樹脂製カバー、６１０…突合せ框、６１０Ｂ，６１０Ｃ…室内部材、７０１…窓枠、７１０…室外部材、７１１…木製室外部材、７１２…合成木製室外部材、７１３…樹脂製室外部材、７１４…アルミ形材製室外部材、７４０…樹脂金属複合材製室外部材、７１５…室内部材、７１６…木製室内部材、７１７…合成木製室内部材、７１８…樹脂製室内部材、７１９…アルミ形材製室内部材、７９０…樹脂金属複合材製室内部材、７２１…アルミ形材断熱窓枠、７２２…樹脂窓枠、７２３…アルミ形材窓枠。
【図１】
0003546176.tif 000002
【図２】
0003546176.tif 000003
【図３】
0003546176.tif 000004
【図４】
0003546176.tif 000005
【図５】
0003546176.tif 000006
【図６】
0003546176.tif 000007
【図７】
0003546176.tif 000008
【図８】
0003546176.tif 000009
【図９】
0003546176.tif 000010
【図１０】
0003546176.tif 000011
【図１１】
0003546176.tif 000012
【図１２】
0003546176.tif 000013
【図１３】
0003546176.tif 000014
【図１４】
0003546176.tif 000015
【図１５】
0003546176.tif 000016
【図１６】
0003546176.tif 000017
【図１７】
0003546176.tif 000018
【図１８】
0003546176.tif 000019
【図１９】
0003546176.tif 000020
【図２０】
0003546176.tif 000021
【図２１】
0003546176.tif 000022
【図２２】
0003546176.tif 000023
【図２３】
0003546176.tif 000024
【図２４】
0003546176.tif 000025
【図２５】
0003546176.tif 000026
【図２６】
0003546176.tif 000027
【図２７】
0003546176.tif 000028
【図２８】
0003546176.tif 000029
【図２９】
0003546176.tif 000030
【図３０】
0003546176.tif 000031
【図３１】
0003546176.tif 000032
【図３２】
0003546176.tif 000033
【図３３】
0003546176.tif 000034